【手続補正書】
【提出日】平成16年11月10日(2004.11.10)
【手続補正１】
【補正対象書類名】明細書
【補正対象項目名】特許請求の範囲
【補正方法】変更
【補正の内容】
【特許請求の範囲】
【請求項１】  パケット交換通信システムの通信プロトコルが、ユーザ・データ・パケットをコンバージェンス・プロトコル・パケットに変換するコンバージェンス・プロトコル層（PDCP、SNDPC）と、コンバージェンス・プロトコル・パケット（PDCP-PDU）をデータ・ユニット（RLC-PDU）として伝送すると共に、その伝送を肯定応答するリンク層（RLC、LLC）とを有する前記パケット交換通信システムにおけるデータ・パケットの伝送方法であって、
送信されるコンバージェンス・プロトコル・パケットのためにデータ・パケット番号をカウンタによって規定し、
送信されるコンバージェンス・プロトコル・パケットを伝送のためにリンク層に転送し、
受信したコンバージェンス・プロトコル・パケットのデータ・パケット番号をカウンタによって規定し、
受信したコンバージェンス・プロトコル・パケットの肯定応答を行う、
ことを含む前記データ・パケットの伝送方法において、
送信機のカウンタにより規定されるコンバージェンス・プロトコル・パケット番号を、前記の通信システムの所定の処理の実行に対応して送信される前記コンバージェンス・プロトコル・パケットに付加し、
前記コンバージェンス・プロトコル・パケット番号に一致するように受信機のカウンタ値を更新する、
ことを特徴とするデータ・パケットの伝送方法。
【請求項２】  前記リンク層がコンバージェンス・プロトコル・パケットの肯定応答のある伝送を保証できないことに対応して、所定の間隔をおいて前記リンク層で送信される前記コンバージェンス・プロトコル・パケットへの前記コンバージェンス・プロトコル・パケット番号の前記の付加を実行し、
前記受信したコンバージェンス・プロトコル・パケットの前記コンバージェンス・プロトコル・パケット番号と前記受信機のカウンタ値を比較し、
前記の値が等しくないことに対応して、前記コンバージェンス・プロトコル・パケット番号に一致するように前記受信機のカウンタ値を更新する、
ことを特徴とする請求項１に記載の方法。
【請求項３】  前記通信システムの前記所定の処理がデータ・パケットの廃棄またはハンドオーバであることを特徴とする請求項１に記載の方法。
【請求項４】  肯定応答されなかったユーザ・データ・パケットの後に送られたユーザ・データ・パケットに相当するコンバージェンス・プロトコル・パケットを受け取ったことについての肯定応答を前記受信機から前記送信機に送るという事実に対応して、前記肯定応答されなかったユーザ・データ・パケットをバッファから除去することを特徴とする請求項１〜３のいずれか一項に記載の方法。
【請求項５】  前記リンク層において規定された再送の最大値を超えた後に、少なくとも一つの肯定応答されなかったユーザ・データ・パケットが前記送信機のバッファから除去されたという事実に対応して、前記送信機のカウンタによって規定された前記コンバージェンス・プロトコル・パケット番号の、前記送信機のバッファ内の最初の前記コンバージェンス・プロトコル・パケットへの前記付加を実行することを特徴とする請求項１に記載の方法。
【請求項６】  前記通信システムが、肯定応答される伝送を利用するUMTSシステムまたはGPRSシステムなどのパケット交換移動通信システムであることを特徴とする請求項１〜５のいずれか一項に記載の方法。
【請求項７】  UMTSとGPRS間のハンドオーバに適用されることを特徴とする請求項６に記載の方法。
【請求項８】  UMTSにおける無線ネットワーク・サブシステム間のハンドオーバに適用されることを特徴とする請求項６に記載の方法。
【請求項９】  端末（MS、UE）と固定ネットワークとを有するパケット交換通信システムであって、前記固定ネットワークが、パケット交換データ伝送をサポートするネットワーク構成要素（SGSN、SRNC）と、前記の通信システムにおける端末とネットワーク構成要素との間で伝送されるようになっているデータ・パケットと、前記通信システムの通信プロトコルとを備え、前記通信プロトコルが、ユーザ・データ・パケットをコンバージェンス・プロトコル・パケットに変換するコンバージェンス・プロトコル層（PDCP、SNDCP）と、コンバージェンス・プロトコル・パケット（PDCP-PDU）をデータ・ユニット（RLC-PDU）として伝送し、その伝送を肯定応答するリンク層（RLC、LLC）とを備え、
前記端末と前記ネットワーク構成要素間のデータ・パケットの伝送において、
送信されるコンバージェンス・プロトコル・パケットに対してデータ・パケット番号をカウンタによって規定するようになっており、
前記送信されるコンバージェンス・プロトコル・パケットを、伝送のために前記リンク層へ転送するようになっており、
受信したコンバージェンス・プロトコル・パケットに対して前記データ・パケット番号を前記カウンタによって規定するようになっており、
前記受信したコンバージェンス・プロトコル・パケットについて肯定応答するようになっている、前記パケット交換通信システムにおいて、
送信機のカウンタにより規定されたコンバージェンス・プロトコル・パケット番号が前記通信システムの所定の処理の実行に対応して送信される前記コンバージェンス・プロトコル・パケットに付加されるようになっており、
受信機のカウンタ値が前記コンバージェンス・プロトコル・パケット番号に一致するようになっている、
ことを特徴とするパケット交換通信システム。
【請求項１０】  前記送信機のカウンタ値により規定された前記コンバージェンス・プロトコル・パケット番号が、前記リンク層がコンバージェンス・プロトコル・パケットの肯定応答のある伝送を保証できないことに対応して、所定の間隔で送信される前記コンバージェンス・プロトコル・パケットに付加されるようになっており、
前記受信機のカウンタ値が前記受信したコンバージェンス・プロトコル・パケットの前記コンバージェンス・プロトコル・パケット番号と同等であるようになっており、
前記の値が等しくないことに対応して、前記コンバージェンス・プロトコル・パケット番号に一致するように前記受信機のカウンタ値を更新するようになっている、
ことを特徴とする請求項９に記載の通信システム。
【請求項１１】  前記通信システムの前記所定の処理がデータ・パケットの廃棄かハンドオーバであることを特徴とする請求項９に記載の通信システム。
【請求項１２】  肯定応答されなかったユーザ・データ・パケットの後に送られたユーザ・データ・パケットに相当するコンバージェンス・プロトコル・パケットを受け取ったことについての肯定応答を前記受信機から前記送信機に送るという事実に対応して、肯定応答されなかったユーザ・データ・パケットを前記バッファから除去するようになっていることを特徴とする請求項９〜１１のいずれか一項に記載の通信システム。
【請求項１３】  前記通信システムが、肯定応答される伝送を利用するUMTSシステムまたはGPRSシステムなどのパケット交換移動通信システムであることを特徴とする請求項９〜１２いずれか一項に記載の通信システム。
【請求項１４】  前記コンバージェンス・プロトコル・パケット番号をUMTSとGPRS間のハンドオーバにおいてカウンタによって規定するようになっていることを特徴とする請求項１３に記載の通信システム。
【請求項１５】  前記コンバージェンス・プロトコル・パケット番号をUMTSにおける無線ネットワーク・サブシステム間のハンドオーバにおいてカウンタによって規定するようになっていることを特徴とする請求項１３に記載の通信システム。
【請求項１６】  パケット交換通信システムのネットワーク構成要素であって、該ネットワーク構成要素はパケット交換データ伝送をサポートする端末にデータ・パケットを伝送するようになっており、
前記ネットワーク構成要素と前記端末との間で伝送されるコンバージェンス・プロトコル・パケットのデータ・パケット番号を規定する第１カウンタの手段と、
伝送される前記コンバージェンス・プロトコル・パケットを伝送されるリンク層に転送する手段と、
受信した前記コンバージェンス・プロトコル・パケットのデータ・パケット番号を規定する第２カウンタの手段と、
前記端末から受信した前記コンバージェンス・プロトコル・パケットの肯定応答を受信する手段と、
前記通信システムの所定の処理の実行に応答して、前記のコンバージェンス・プロトコル・パケット番号に対応する端末のカウンタの値を更新するために、前記第１カウンタにより規定された該コンバージェンス・プロトコル・パケット番号を該端末に送信すべき前記コンバージェンス・プロトコル・パケットに付加する手段と、
を備えるネットワーク構成要素。
【請求項１７】  前記のコンバージェンス・プロトコル・パケット番号を付加する手段が、前記第２カウンタにより規定された前記コンバージェンス・プロトコル・パケットのデータ番号を、コンバージェンス・プロトコル・パケットの肯定応答伝送を保証できないリンク層に対応して所定の間隔をおいて送信される該コンバージェンス・プロトコル・パケットに付加するようになっている請求項１６に記載のネットワーク構成要素。
【請求項１８】  前記通信システムの前記所定の処理がデータ・パケットの廃棄またはハンドオーバである請求項１６に記載のネットワーク構成要素。
【請求項１９】  肯定応答されなかったユーザ・データ・パケットの後に送られたユーザ・データ・パケットに相当するコンバージェンス・プロトコル・パケットを受け取ったことについての肯定応答を前記受信機から前記送信機に送るという事実に対応して、前記肯定応答されなかったユーザ・データ・パケットをバッファから除去する手段をさらに備える請求項１６に記載のネットワーク構成要素。
【請求項２０】  前記ネットワーク構成要素の通信システムが、肯定応答される伝送を利用するUMTSシステムまたはGPRSシステムなどのパケット交換移動通信システムである請求項１６に記載のネットワーク構成要素。
【請求項２１】  前記ネットワーク構成要素が、前記UMTSと前記GPRSとの間のハンドオーバにおいて、カウンタによって前記コンバージェンス・プロトコル・パケット番号をさらに規定するようになっている請求項２０に記載のネットワーク構成要素。
【請求項２２】  前記ネットワーク構成要素が、前記UMTSの無線ネットワーク・サブシステム間のハンドオーバにおいて、カウンタによって前記コンバージェンス・プロトコル・パケット番号をさらに規定するようになっている請求項２０に記載のネットワーク構成要素。
【請求項２３】  パケット交換通信システムの端末であって、該端末はパケット交換データ伝送をサポートするネットワーク構成要素にデータ・パケットを送信するようになっており、
前記端末と前記ネットワーク構成要素との間で伝送されるコンバージェンス・プロトコル・パケットのデータ・パケット番号を規定する第１カウンタの手段と、
伝送される前記コンバージェンス・プロトコル・パケットを伝送されるリンク層に転送する手段と、
受信した前記コンバージェンス・プロトコル・パケットのデータ・パケット番号を規定する第２カウンタの手段と、
前記ネットワーク構成要素から受信した前記コンバージェンス・プロトコル・パケットの肯定応答を受信する手段と、
前記通信システムの所定の処理の実行に応答して、前記のコンバージェンス・プロトコル・パケット番号に対応するネットワーク構成要素のカウンタの値を更新するために、前記第１カウンタにより規定された該コンバージェンス・プロトコル・パケット番号を該ネットワーク構成要素に送信される前記コンバージェンス・プロトコル・パケットに付加する手段と、
を備えるパケット交換通信システムの端末。
【請求項２４】  前記コンバージェンス・プロトコル・パケット番号を付加する手段が、前記第２カウンタにより規定される前記コンバージェンス・プロトコル・パケットのデータ番号を、コンバージェンス・プロトコル・パケットの肯定応答伝送を保証できないリンク層に対応して所定の間隔をおいて送信される該コンバージェンス・プロトコル・パケットに付加するようになっている請求項２３に記載の端末。
【請求項２５】  前記通信システムの前記所定の処理がデータ・パケットの廃棄またはハンドオーバである請求項２３に記載の端末。
【請求項２６】  肯定応答されなかったユーザ・データ・パケットの後に送られたユーザ・データ・パケットに相当するコンバージェンス・プロトコル・パケットを受け取ったことについての肯定応答を前記受信機から前記送信機に送るという事実に対応して、前記肯定応答されなかったユーザ・データ・パケットをバッファから除去する手段をさらに備える請求項２３に記載の端末。
【請求項２７】  肯定応答される伝送を利用するUMTSシステムまたはGPRSシステムなどのパケット交換移動通信システムをサポートする請求項２３に記載の端末。
【請求項２８】  前記端末が、前記UMTSと前記GPRSとの間のハンドオーバにおいて、カウンタによって前記コンバージェンス・プロトコル・パケット番号をさらに規定するようになっている請求項２７に記載の端末。
【請求項２９】  前記端末が、前記UMTSの無線ネットワーク・サブシステム間のハンドオーバにおいて、カウンタによって前記コンバージェンス・プロトコル・パケット番号をさらに規定するようになっている請求項２７に記載の端末。